(57)【要約】【課題】小型のＬＥＤランプを使用しながら、ＬＥＤランプごとに自由な設置が可能になり、しかも、防水性能に優れ、電飾効果に優れた光を発光せしめることができる電飾用ＬＥＤランプを提供する。【解決手段】ソケット体２の上端部に矩形チップ状のＬＥＤランプ１を収納する収納凹部３を形成する。ソケット体２の内部に一対の接触端子４を配する。接触端子４の一方が収納凹部３に収納したＬＥＤランプ１の端子１Ａに接触すると共に、他方がソケット体２内に配されたチップ抵抗６に接触するように設ける。収納凹部３内にＬＥＤランプ１を嵌合したときにＬＥＤランプ１の端子１Ａが接触端子４とチップ抵抗６とに接触するＬＥＤソケット１０を形成する。該ＬＥＤソケット１０を電源用のコードテープ３０に個別に装着する。【選択図】図１
0003134287.tif 000002
【実用新案登録請求の範囲】
【請求項１】
ＬＥＤランプをプラスチック製のソケット体に収納してＬＥＤソケットを形成する電飾用ＬＥＤランプにおいて、ソケット体の上端部に矩形チップ状のＬＥＤランプを収納する収納凹部を形成し、ソケット体の内部に一対の接触端子を配し、接触端子の一方が収納凹部に収納したＬＥＤランプの端子に接触すると共に、他方がソケット体内に配されたチップ抵抗に接触するように設け、収納凹部内にＬＥＤランプを嵌合したときにＬＥＤランプの端子が接触端子とチップ抵抗とに接触するＬＥＤソケットを形成し、該ＬＥＤソケットを電源用のコードに個別に装着したことを特徴とする電飾用ＬＥＤランプ。
【請求項２】
前記ＬＥＤソケットの上端部に透明なアクリル樹脂製の防水カバーを被覆固定して収納凹部を施蓋し、該防水カバーがＬＥＤランプ発光時のレンズとして設けられた請求項１記載の電飾用ＬＥＤランプ。
【請求項３】
前記防水カバーの周囲に抜け止め突起を設け、ＬＥＤソケット装着用の基盤に開穿されたＬＥＤソケット嵌合用の固定孔の裏側から表側にＬＥＤソケットの防水カバーを突出させたときに、固定孔の表側に突出した防水カバーの抜け止め突起が固定孔の周囲に係止するように設けられた請求項１又は２記載の電飾用ＬＥＤランプ。
【請求項４】
前記ＬＥＤソケットの下端部外周を上端部外周よりも膨出させ、該下端部の外周を塩化ビニル製の接着固定体で覆い、該接着固定体を塩化ビニル製の電源用コードテープに接着した請求項１乃至３いずれか記載の電飾用ＬＥＤランプ。
【請求項５】
前記ＬＥＤソケットの下端部にABS樹脂製の嵌合固定体を装着固定し、該嵌合固定体の下面に略円錐形状の係止突起を突設し、ＬＥＤソケットの被装着位置に開穿された固定用孔に、該係止突起を嵌合係止するように設けられた１乃至３いずれか記載の電飾用ＬＥＤランプ。
【考案の詳細な説明】
【技術分野】
【０００１】
本考案は、電飾装置の発光体として使用する電飾用ＬＥＤランプに係り、室内装飾から屋外装飾にいたるまで幅広く使用するのに好適な電飾用ＬＥＤランプに関する。
【背景技術】
【０００２】
ＬＥＤランプを使用した電飾装置として、特許文献１に記載された電飾装置が提案されている。この電飾装置は、長尺なベースプレートの表面に鏡面処理を施し、この表面に多数のＬＥＤランプを収容したもので、これらのＬＥＤランプの上側に断面コ字形状のアクリル樹脂板を覆うことで、防水処理を施すものである。
【０００３】
特許文献１のＬＥＤランプは、砲弾型のＬＥＤランプが使用され、該ＬＥＤランプをプラスチック製の被覆材で被覆してＬＥＤソケットを設け、該ＬＥＤソケットを電源用のコードに装着して使用するものである。
【０００４】
また、特許文献２に、ＬＥＤランプの前面に樹脂製の保護層と共に集光レンズを設けたＬＥＤ発光装置が記載されている。このＬＥＤ発光装置では、樹脂製の固定層の内部にＬＥＤランプと配設用の導線を配置し、ＬＥＤランプの前面に樹脂製の保護層を設け、更に、この保護層の前面に集光レンズを設けることでＬＥＤソケットを構成するものである。
【特許文献１】特開平１０−８３１４８号公報
【特許文献２】特許第２５０４５３３号公報
【考案の開示】
【考案が解決しようとする課題】
【０００５】
特許文献１に記載されているように、砲弾型のＬＥＤランプをプラスチック製の被覆材で被覆してＬＥＤソケットを設けたものでは、ＬＥＤソケット自体が嵩張るものになる。そのため、ＬＥＤソケットを電源用のコード等に連結して使用する場合に高さが20mmになることもあり、ＬＥＤランプが発光していないときには、これらのＬＥＤソケットが目に付き易く発光時以外の電光飾の見栄えが悪くなる不都合があった。
【０００６】
また、電飾効果が注目される中、直付け照明や間接照明、サイド照明などを取り付ける場合に、取り付け位置が低く、狭い場所に電飾装置の設置を求められることがある。この場合、ＬＥＤランプは特に小型のものが望ましい。ところが、従来の砲弾型のＬＥＤランプが嵩張ることから、あまり狭いところには設置できない不都合があった。
【０００７】
一方、特許文献１に記載の電飾装置では、ＬＥＤランプの防水処理を行うために、ＬＥＤランプの上側に断面コ字形状のアクリル樹脂板を覆うものである。そのため、この電飾装置を使用する場合は、この断面コ字形状のアクリル樹脂板によって、使用場所が大きく規制されるものになり、狭い場所に電飾装置を設置することが困難になっている。
【０００８】
しかも、断面コ字形状のアクリル樹脂板をカバーとして使用するので、ＬＥＤランプを組み合わせたデザインもカバーの形状に制限されることになり、任意の場所に適宜な電飾を施すことは困難であった。
【０００９】
また、特許文献２に記載のＬＥＤ発光装置では、砲弾型のＬＥＤランプに変えて小型のＬＥＤランプを使用するため、この小型のＬＥＤランプの光を集光する集光レンズを設けている。このため、小型のＬＥＤランプを複数個併設し、各ＬＥＤランプに共通する集光レンズを設ける構造を採用しているので、ＬＥＤ発光装置の形状は、小型のＬＥＤランプごとに形成することはできない。したがって、特許文献２においても、前述の特許文献１と同様に、使用場所が大きく規制されるものになり、任意の場所に適宜な電飾を施すことは困難であった。
【００１０】
そこで、本考案は上述の課題を解消すべく案出されたもので、小型のＬＥＤランプを使用しながら、ＬＥＤランプごとに自由な設置が可能になり、しかも、防水性能に優れ、電飾効果に優れた光を発光せしめることができる電飾用ＬＥＤランプの提供を目的とするものである。
【課題を解決するための手段】
【００１１】
上述の課題を解決するため、本考案の第１の手段は、ＬＥＤランプ１をプラスチック製のソケット体２に収納してＬＥＤソケット１０を形成する電飾用ＬＥＤランプにおいて、ソケット体２の上端部に矩形チップ状のＬＥＤランプ１を収納する収納凹部３を形成し、ソケット体２の内部に一対の接触端子４を配し、接触端子４の一方が収納凹部３に収納したＬＥＤランプ１の端子１Ａに接触すると共に、他方がソケット体２内に配されたチップ抵抗６に接触するように設け、収納凹部３内にＬＥＤランプ１を嵌合したときにＬＥＤランプ１の端子１Ａが接触端子４とチップ抵抗６とに接触するＬＥＤソケット１０を形成し、該ＬＥＤソケット１０を電源用のコードに個別に装着したことにある。
【００１２】
第２の手段は、前記ＬＥＤソケット１０の上端部に透明なアクリル樹脂製の防水カバー５を被覆固定して収納凹部３を施蓋し、該防水カバー５がＬＥＤランプ１発光時のレンズとして設けられている。
【００１３】
第３の手段は、前記防水カバー５の周囲に抜け止め突起５Ａを設け、ＬＥＤソケット１０装着用の基盤２０に開穿されたＬＥＤソケット１０嵌合用の固定孔２１の裏側から表側にＬＥＤソケット１０の防水カバー５を突出させたときに、固定孔２１の表側に突出した防水カバー５の抜け止め突起５Ａが固定孔２１の周囲に係止するように設けられている。
【００１４】
第４の手段は、前記ＬＥＤソケット１０の下端部１１外周を上端部１２外周よりも膨出させ、該下端部１１の外周を塩化ビニル製の接着固定体１３で覆い、該接着固定体１３を塩化ビニル製のコードテープ３０に接着したものである。
【００１５】
第５の手段は、前記ＬＥＤソケット１０の下端部１１にABS樹脂製の嵌合固定体１４を装着固定し、該嵌合固定体１４の下面に略円錐形状の係止突起１５を突設し、ＬＥＤソケット１０の被装着位置に開穿された固定用孔４０に、該係止突起１５を嵌合係止するように設けたことを課題解消のための手段とする。
【考案の効果】
【００１６】
本考案の請求項１により、ＬＥＤソケット１０の上端部１２が発光する構造になる。この結果、主にプリント板用として使用される矩形チップ状の小さなＬＥＤランプ１でも効果的な電飾が可能になった。
【００１７】
また、ソケット体２の上端部にプリント板用の矩形チップ状のＬＥＤランプ１を配してＬＥＤソケット１０を形成し、該ＬＥＤソケット１０を電源用のコードに個別に装着したことから、本考案電飾用ＬＥＤランプの構成がコンパクトになり、高さも低くすることができる。したがって、直付け照明や間接照明、サイド照明などを取り付ける場合などのように、取り付け位置が低く、狭い場所への設置にも好適であり、設置場所が制限されず、任意の場所に適宜な電飾を施すことが可能になった。
【００１８】
請求項２によると、前記ＬＥＤソケット１０の上端部に透明なアクリル樹脂製の防水カバー５を被覆固定して収納凹部３を施蓋し、該防水カバー５がＬＥＤランプ１発光時のレンズとして設けられているので、防水効果と発光促進効果とを同時に兼ねることができる。しかも、ＬＥＤソケット１０の上端部に被覆固定した透明なアクリル樹脂製の防水カバー５によって、周囲からの視認角度がおよそ１２０度程度まで広くなり、電飾効果を極めて広い範囲まで及ぼすことができる。
【００１９】
請求項３では、前記防水カバー５の周囲に抜け止め突起５Ａを設け、この抜け止め突起５Ａが固定孔２１の周囲に係止するように設けられているので、各ＬＥＤソケット１０の取り付け作業が極めて簡略化され、しかも、最も電飾効果の高い部分がコンパクトに表出するので、より自由な配置が可能になり、周囲からの視認性にも優れた装飾が行える。
【００２０】
防水カバー５にこのような抜け止め突起５Ａを設けることで、予め電源用のコード３０に装着された複数のＬＥＤソケット１０を、基盤２０の固定孔２１に差し込むだけで簡単に装着することができる。従って、例えば、看板内照式の電飾を施す際に、看板の中板に、ドリル、レーザーマシンなどの機械で固定孔２１を穿孔するだけの工事で済み、配線の手間を省き施工時間を短縮することが可能になる。このとき、基盤２０(中板)の材質は、アクリル板、アルミ複合板、金属板など任意の材質から選択使用できる。
【００２１】
また、基盤２０の表面にＬＥＤランプ１が飛び出る構造になるので、目新しい光源をアピールすることができる。しかも、ＬＥＤランプ１の使用個数を少なくしても見栄えの良い電飾効果が可能になり、費用対効果が優れたものになっている。
【００２２】
請求項４によると、ＬＥＤソケット１０の下端部１１外周を上端部１２外周よりも膨出させ、該下端部１１の外周を塩化ビニル製の接着固定体１３で覆い、該接着固定体１３を塩化ビニル製のコードテープ３０に接着することにより、塩化ビニル製のコードテープ３０と相性の悪いポリカーボネート材をソケット体２に用いても、ソケット体２とコードテープ３０とを確実に固定することができる。
【００２３】
請求項５により、ＬＥＤソケット１０の被装着位置に開穿された固定用孔４０に、該係止突起１５を嵌合係止するように設けたことで、被装着位置に開穿された固定用孔４０に、この係止突起１５を差し込むだけでＬＥＤソケット１０を固定できるので、本発明電飾用ＬＥＤランプを極めて容易に装着することができる。
【００２４】
このように、本考案によると、小型のＬＥＤランプを使用しながら、このＬＥＤランプ１を個別に使用することが可能になり、しかも、防水性能に優れ、電飾効果に優れた光を発光せしめることができ、ＬＥＤソケット１０の装着作業も容易になるなどといった実用上有益な種々の効果を奏するものである。
【考案を実施するための最良の形態】
【００２５】
本考案ＬＥＤランプの最良の形態は、ソケット体２の上端部に矩形チップ状のＬＥＤランプ１を収納する収納凹部３を形成し、ソケット体２の内部に一対の接触端子４を配する。接触端子４の一方が収納凹部３に収納したＬＥＤランプ１の端子１Ａに接触すると共に、他方がソケット体２内に配されたチップ抵抗６に接触するように設ける。収納凹部３内にＬＥＤランプ１を嵌合したときにＬＥＤランプ１の端子１Ａが接触端子４とチップ抵抗６とに接触するＬＥＤソケット１０を形成する。該ＬＥＤソケット１０の上端部に透明なアクリル樹脂製の防水カバー５を被覆固定して収納凹部３を施蓋し、該防水カバー５がＬＥＤランプ１発光時のレンズとして設ける。該防水カバー５の周囲に抜け止め突起５Ａを設け、ＬＥＤソケット１０装着用の基盤２０に開穿されたＬＥＤソケット１０嵌合用の固定孔２１の裏側から表側にＬＥＤソケット１０の防水カバー５を突出させたときに、固定孔２１の表側に突出した防水カバー５の抜け止め突起５Ａが固定孔２１の周囲に係止するように設ける。ＬＥＤソケット１０の下端部１１外周を上端部１２外周よりも膨出させ、該下端部１１の外周を塩化ビニル製の接着固定体１３で覆う。該接着固定体１３を塩化ビニル製の電源用コードテープ３０に接着し、ＬＥＤソケット１０をコードテープ３０に個別に装着することにより、当初の目的を達成する。
【実施例】
【００２６】
次に、図面に基づいて本考案の実施例を詳細に説明する。本考案は、電飾用ＬＥＤランプの改良に関するもので、例えば、直付け照明、サイド照明、間接照明、エッジライト、床埋め込みライン照明、ステップライト、棚下のライトアップ、ショーケース灯、ディスプレイ照明、チャンネル文字、舞台照明、テーマパーク内の照明など、装飾用照明装置全般に使用される電飾用ＬＥＤランプである。
【００２７】
本考案電飾用ＬＥＤランプの基本構成は、ＬＥＤランプ１と、ＬＥＤソケット１０と、電源用のコードとからなる（図４参照）。
【００２８】
ＬＥＤランプ１は、主にプリント板用として用いられる矩形チップ状のＬＥＤランプ１を使用する（図１参照）。ＬＥＤソケット１０は、このＬＥＤランプ１をプラスチック製のソケット体２に収納したものであり、ＬＥＤソケット１０ごと電源用のコードに接続し、各種の被装着場所へ配設するものである。
【００２９】
ソケット体２は、ポリカーボネートが用いられており、その上端部にＬＥＤランプ１を収納する収納凹部３を形成し、その内部に一対の接触端子４を配している（図１参照）。そして、接触端子４の一方が収納凹部３に収納したＬＥＤランプ１の端子１Ａに接触するように設けている。また、接触端子４の他方は、ソケット体２内に配されたチップ抵抗６に接触するように設けている。
【００３０】
収納凹部３内にＬＥＤランプ１を嵌合すると、ＬＥＤランプ１の端子１Ａが接触端子４とチップ抵抗６とに接触する。この状態がＬＥＤソケット１０となる（図１参照）。そして、該ＬＥＤソケット１０を電源用のコードテープ３０に個別に装着するものである。
【００３１】
このとき、前記ＬＥＤソケット１０の上端部に防水カバー５を被覆固定して収納凹部３を施蓋する（図３、図９参照）。この防水カバー５は、透明なアクリル樹脂製で、ＬＥＤランプ１発光時のレンズとして設けられている。このように防水カバー５を設けることで、収納凹部３に収納したＬＥＤランプ１の視認角度を１２０度まで広げることが可能になり、広範囲に及ぶ装飾効果が期待できるものとなる。図３に示す防水カバー５は、頂部が扁平形状を成すことで、この防水カバー５からＬＥＤソケット１０全体の高さがコンパクトに形成されている。また、防水カバー５の形状はこの例に限られるものではなく、例えば、図９(イ)、(ロ)、(ハ)に示される形状や、図示以外の任意の形状でも良いものである。更に、室内等では、この防水カバー５を装着しないで使用することも可能である（図４参照）。
【００３２】
また、前記防水カバー５の周囲に抜け止め突起５Ａを設けることで、ＬＥＤソケット１０の装着時に抜け止めとして機能する。例えば、ＬＥＤソケット１０装着用の基盤２０に開穿されたＬＥＤソケット１０嵌合用の固定孔２１の裏側から表側にＬＥＤソケット１０の防水カバー５を突出させたときに、固定孔２１の表側に突出した防水カバー５の抜け止め突起５Ａが固定孔２１の周囲に係止するように設けられている（図３、図５参照）。図示例では、防水カバー５の下端部から一対の抜け止め突起５Ａが広がるように設けている。このような抜け止め突起５Ａによると、防水カバー５と共に固定孔２１を通過した抜け止め突起５Ａは、通過した直後に基の形に広がって固定孔２１の周囲縁に係止するものである（図２、図６参照）。
【００３３】
電源用のコードは、塩化ビニル製のコードテープ３０や平行線の電源コード５０などが使用される。図２乃至図４に示すＬＥＤソケット１０は、塩化ビニル製の電源用コードテープ３０に接着可能にしたものである。すなわち、ＬＥＤソケット１０の下端部１１外周を上端部１２外周よりも膨出させ、該下端部１１の外周を塩化ビニル製の接着固定体１３で被覆している。そして、この塩化ビニル製の接着固定体１３を塩化ビニル製のコードテープ３０に接着するものである。この結果、ポリカーボネート製のソケット体２を使用していても、簡単に塩化ビニル製のコードテープ３０に装着固定することが可能になるものである。
【００３４】
一方、図５乃至図８に示すＬＥＤソケット１０は、ＬＥＤソケット１０の下端部１１、すなわちソケット体２の下端部にABS樹脂製の嵌合固定体１４を装着固定すると共に、該嵌合固定体１４の下面に略円錐形状のABS樹脂製係止突起１５を突設している。この係止突起１５は、ＬＥＤソケット１０の被装着位置に開穿された固定用孔４０に嵌合係止するものである（図７、図８参照）。この係止突起１５は、係止突起１５の下端部から上方に向けて広がる左右一対の係止片１５Ａを設けたもので、基盤２０の表面から固定用孔４０に係止突起１５を差し込むと、この係止片１５Ａが基盤２０の裏面に係止するものである（図７参照）。
【００３５】
また、図５乃至図８に示すＬＥＤソケット１０では、嵌合固定体１４に平行線の電源コード５０を固定している（図８参照）。このようなＬＥＤソケット１０では、前述の防水カバー５の抜け止め突起５Ａを使用する場合と、係止突起１５の係止片１５Ａを使用する場合との固定手段の選択が可能になるものである（図５、図７参照）。
【００３６】
尚、本考案は前記実施例に限定されず、本考案の要旨を逸脱しない範囲内における設計変更等は自由に行えるものである。
【図面の簡単な説明】
【００３７】
【図１】本考案のＬＥＤソケットの一実施例を示す縦断面図である。
【図２】本考案のＬＥＤソケットの装着例を示す斜視図である。
【図３】本考案のＬＥＤソケットの装着例を示す側面図である。
【図４】本考案のＬＥＤソケットの他の装着例を示す側面図である。
【図５】本考案のＬＥＤソケットの他の実施例を示す縦断面図である。
【図６】図５に示すＬＥＤソケットの装着例を示す斜視図である。
【図７】図５に示すＬＥＤソケットの他の装着例を示す側面図である。
【図８】図５に示すＬＥＤソケットの他の装着例を示す斜視図である。
【図９】(イ) 、(ロ)、 (ハ)は、本考案の防水カバーの他の実施例を示す側面図である。
【符号の説明】
【００３８】
１  ＬＥＤランプ
１Ａ  端子
２  ソケット体
３  収納凹部
４  接触端子
５  防水カバー
５Ａ  抜け止め突起
６  チップ抵抗
１０  ＬＥＤソケット
１１  下端部
１２  上端部
１３  接着固定体
１４  嵌合固定体
１５  係止突起
１５Ａ  係止片
２０  基盤
２１  固定孔
３０  コードテープ
４０  固定用孔
５０  電源コード
【図１】
0003134287.tif 000003
【図２】
0003134287.tif 000004
【図３】
0003134287.tif 000005
【図４】
0003134287.tif 000006
【図５】
0003134287.tif 000007
【図６】
0003134287.tif 000008
【図７】
0003134287.tif 000009
【図８】
0003134287.tif 000010
【図９】
0003134287.tif 000011